(57)【要約】【課題】面光源の面方向における発光装置の寸法を抑制する。【解決手段】発光装置は、面光源１００と、光源取付装置２００を備える。光源取付装置２００は、ベース部２１０と、ベース部２１０に連結され第１位置と第１位置よりもベース部２１０から遠い第２位置との間で直線的に移動可能な固定部材２２０を備える。固定部材２２０が第２位置にあるときに、面光源１００をその面方向へと固定部材２２０に対して相対移動させることによって、面光源１００は、その面方向が固定部材２２０の移動方向に対して交差する状態で固定部材２２０に対して着脱可能に固定される。面光源１００を固定部材２２０に固定した状態で、固定部材２２０を第１位置へ移動させることにより、面光源１００が光源取付装置２００に取り付けられた設置状態となる。【選択図】図３
2015018716.tif 000002
【特許請求の範囲】
【請求項１】
面光源と、
前記面光源が取り付けられる光源取付装置と、
を備え、
前記光源取付装置は、
ベース部と、
前記ベース部に連結され、且つ、前記面光源が固定される固定部材と、
を備え、
前記固定部材は、第１位置と、前記第１位置よりも前記ベース部から遠い第２位置と、の間で直線的に前記ベース部に対して移動可能であり、
前記面光源は、第１係合部を有し、
前記固定部材は、前記第１係合部と係合する第２係合部を有し、
前記固定部材が前記第２位置にあるときに、前記第１係合部と前記第２係合部とを係合させた状態で前記面光源をその面方向において前記固定部材に対して相対移動させることによって、前記面光源は、前記面方向が前記固定部材の移動方向に対して交差する状態で前記固定部材に対して着脱可能に固定され、
前記面光源を前記固定部材に固定した状態で、前記固定部材を前記第２位置から前記第１位置へ移動させることにより、前記面光源が前記光源取付装置に取り付けられた設置状態となる発光装置。
【請求項２】
前記面光源は、発光パネルと、前記発光パネルに設けられた前記第１係合部と、を有し、
前記第２位置は、前記第１位置よりも前記発光パネルの厚み分以上前記ベース部から遠い請求項１に記載の発光装置。
【請求項３】
前記第１係合部は、前記発光パネルの発光面に対する裏面側の部分に形成され、
前記第２係合部は、前記固定部材における前記ベース部側とは反対面側の部分に形成され、
前記第１係合部と前記第２係合部とのうちの一方は突起部を含み、他方は前記突起部が固定される固定穴を含み、
前記突起部が前記固定穴に差し込まれた係合状態で前記面光源が前記面方向において前記固定部材に対して相対移動することによって、前記突起部が前記固定穴に対して着脱可能に固定される請求項１又は２に記載の発光装置。
【請求項４】
前記突起部は、
小径部と、
前記小径部の先端部に設けられ前記小径部よりも大径の大径部と、
を有し、
前記固定穴は、
前記突起部が差し込まれる差込穴と、
前記差込穴と連続的に形成され、前記小径部よりも幅広且つ前記大径部よりも幅狭のスライド穴と、
を有し、
前記突起部が前記差込穴に差し込まれた後、前記小径部が前記スライド穴へ移動することにより、前記大径部が前記固定穴から抜ける方向へ移動してしまうことが、前記固定部材と前記面光源とのうち前記固定穴を有する方における前記スライド穴の周囲縁部によって規制される請求項３に記載の発光装置。
【請求項５】
前記突起部は前記面光源の発光用の電力を受電又は給電するための電極端子である請求項３又は４に記載の発光装置。
【請求項６】
前記第１係合部は前記突起部を含み、
前記第２係合部は前記固定穴を含み、
前記光源取付装置は前記面光源に電力を供給するための給電端子を備え、
前記面光源が前記固定部材に固定された状態で、前記固定部材が前記第１位置へ移動することにより、前記突起部が前記給電端子に接触する請求項５に記載の発光装置。
【請求項７】
前記第１係合部と前記第２係合部とを係合させた状態で前記面光源をその面方向において前記固定部材に対して相対的に回転させることによって、前記面光源が前記固定部材に対して着脱可能に固定される請求項１〜６の何れか一項に記載の発光装置。
【請求項８】
請求項１〜７の何れか一項に記載の発光装置における前記面光源。
【請求項９】
請求項１〜７の何れか一項に記載の発光装置における前記光源取付装置。
【発明の詳細な説明】
【技術分野】
【０００１】
本発明は、発光装置、面光源及び光源取付装置に関する。
【背景技術】
【０００２】
面光源を壁や天井等に設置するための技術としては、例えば、特許文献１の技術がある。
【０００３】
特許文献１に記載の照明装置は、開口を有する筐体と、筐体の開口に配置される額縁状の支持体と、支持体を筐体に対して回転可能に支持するヒンジと、を備えている。この照明装置においては、面光源は、支持体の開口から外方を臨む状態で支持体により支持される。
【先行技術文献】
【特許文献】
【０００４】
【特許文献１】特開２０１２−２４３７５７号公報
【発明の概要】
【発明が解決しようとする課題】
【０００５】
特許文献１の技術では、額縁状の支持体とヒンジとを備えるため、面光源の面方向における照明装置の寸法が大きくなってしまう。
【０００６】
本発明が解決しようとする課題としては、面光源の面方向における発光装置の寸法を抑制することが一例として挙げられる。
【課題を解決するための手段】
【０００７】
請求項１に記載の発明は、
面光源と、
前記面光源が取り付けられる光源取付装置と、
を備え、
前記光源取付装置は、
ベース部と、
前記ベース部に連結され、且つ、前記面光源が固定される固定部材と、
を備え、
前記固定部材は、第１位置と、前記第１位置よりも前記ベース部から遠い第２位置と、の間で直線的に前記ベース部に対して移動可能であり、
前記面光源は、第１係合部を有し、
前記固定部材は、前記第１係合部と係合する第２係合部を有し、
前記固定部材が前記第２位置にあるときに、前記第１係合部と前記第２係合部とを係合させた状態で前記面光源をその面方向において前記固定部材に対して相対移動させることによって、前記面光源は、前記面方向が前記固定部材の移動方向に対して交差する状態で前記固定部材に対して着脱可能に固定され、
前記面光源を前記固定部材に固定した状態で、前記固定部材を前記第２位置から前記第１位置へ移動させることにより、前記面光源が前記光源取付装置に取り付けられた設置状態となる発光装置である。
【０００８】
請求項８に記載の発明は、
請求項１〜７の何れか一項に記載の発光装置における前記面光源である。
【０００９】
請求項９に記載の発明は、
請求項１〜７の何れか一項に記載の発光装置における前記光源取付装置である。
【図面の簡単な説明】
【００１０】
【図１】図１（ａ）〜（ｄ）は実施形態に係る発光装置の面光源を示す模式図である。
【図２】図２（ａ）〜（ｄ）は実施形態に係る発光装置の光源取付装置を示す模式図である。
【図３】図３（ａ）〜（ｆ）は実施形態に係る発光装置における面光源の取付動作を示す模式図である。
【図４】図４（ａ）及び（ｂ）は実施形態に係る発光装置における面光源の取り外し動作を示す模式的な正面図である。
【図５】図５（ａ）〜（ｃ）は実施例１に係る発光装置の光源取付装置を示す模式図である。
【図６】図６（ａ）〜（ｃ）は実施例１に係る発光装置における面光源の取付動作を示す模式図である。
【図７】図７（ａ）〜（ｃ）は実施例１に係る発光装置における面光源の取付動作を示す模式図である。
【図８】実施例１に係る発光装置の発光パネルの構造の一例を示す断面図である。
【図９】有機機能層の層構造の第１例を示す断面図である。
【図１０】有機機能層の層構造の第２例を示す断面図である。
【図１１】図１１（ａ）は実施例２に係る発光装置の面光源を示す模式的な平面図、図１１（ｂ）は実施例２に係る発光装置の光源取付装置を示す模式的な平面図である。
【図１２】図１２（ａ）〜（ｆ）は実施例２に係る発光装置における面光源の取付動作を示す模式図である。
【図１３】図１３（ａ）及び（ｂ）は実施例３に係る発光装置における光源取付装置を示す模式的な平面図、図１３（ｃ）及び（ｄ）は実施例３に係る発光装置における面光源の取付動作を示す模式図である。
【図１４】図１４（ａ）〜（ｄ）は実施例４に係る発光装置の面光源を示す模式図である。
【図１５】実施例４に係る発光装置の光源取付装置を示す模式的な平面図である。
【図１６】図１６（ａ）〜（ｆ）は実施例４に係る発光装置における面光源の取付動作を示す模式図である。
【発明を実施するための形態】
【００１１】
以下、実施の形態について、図面を用いて説明する。尚、すべての図面において、同様の構成要素には同一の符号を付し、適宜説明を省略する。
【００１２】
図１（ａ）〜（ｄ）は実施形態に係る発光装置の面光源１００を示す模式図であり、このうち（ａ）は第１面１０１ａ側を示す平面図、（ｂ）は正面図、（ｃ）は第２面１０１ｂ側を示す平面図（裏面図）、（ｄ）は側面図である。図２（ａ）〜（ｄ）は実施形態に係る発光装置の光源取付装置２００を示す模式図であり、このうち（ａ）は平面図、（ｂ）は正面図、（ｃ）は裏面図、（ｄ）は側面図である。図３（ａ）〜（ｆ）は実施形態に係る発光装置における面光源１００の取付動作を示す模式図であり、このうち（ａ）、（ｃ）及び（ｅ）は平面図、（ｂ）、（ｄ）及び（ｆ）は正面図である。図４（ａ）及び（ｂ）は実施形態に係る発光装置における面光源１００の取り外し動作を示す模式的な正面図である。本実施形態に係る発光装置の面光源１００は、例えばディスプレイ、照明装置、又は光通信装置の光源として用いることができる。
【００１３】
本実施形態に係る発光装置は、面光源１００と、面光源１００が取り付けられる光源取付装置２００と、を備える。光源取付装置２００は、ベース部２１０と、ベース部２１０に連結され、且つ、面光源１００が固定される固定部材２２０と、を備える。固定部材２２０は、第１位置（例えば図３（ｆ）に示される位置）と、第１位置よりもベース部２１０から遠い第２位置（例えば図３（ｂ）、（ｄ）に示される位置）と、の間で直線的にベース部２１０に対して移動可能である。面光源１００は第１係合部２０を有し、固定部材２２０は第１係合部２０と係合する第２係合部５０を有する。固定部材２２０が第２位置にあるときに、第１係合部２０と第２係合部５０とを係合させた状態で面光源１００をその面方向へと固定部材２２０に対して相対移動させることによって、面光源１００は、その面方向が固定部材２２０の移動方向に対して交差する状態で固定部材２２０に対して着脱可能に固定される。面光源１００を固定部材２２０に固定した状態で、固定部材２２０を第２位置から第１位置へ移動させることにより、面光源１００が光源取付装置２００に取り付けられた設置状態となる。
【００１４】
以下においては、説明を簡単にするため、発光装置の各構成要素の位置関係（上下関係等）が各図に示す関係であるものとして説明を行う場合がある。ただし、この説明における位置関係は、発光装置の使用時や製造時の位置関係とは無関係である。
【００１５】
図１（ａ）〜（ｄ）に示すように、面光源１００は、パネル状（板状）の発光パネル１０１を有する。一例として、発光パネル１０１の平面形状は、矩形状であることが挙げられるが、その他の多角形状（五角形、六角形など）でも良いし、円形、楕円形、長円形などでも良い。発光パネル１０１の一方の面である第１面１０１ａは、光を出射する発光面（光取り出し面）となっている。発光パネル１０１の他方の面である第２面１０１ｂは、光源取付装置２００側を向く面である。
【００１６】
発光パネル１０１の第２面１０１ｂには、第１係合部２０が形成されている。すなわち、第１係合部２０は、発光パネル１０１の発光面（第１面１０１ａ）に対する裏面（第２面１０１ｂ）側の部分に形成されている。第１係合部２０は、例えば、突起部３０を含んで構成されている。第１係合部２０は、例えば、２つの突起部３０を含む。
【００１７】
突起部３０は、例えば、第２面１０１ｂから起立する小径部３１と、小径部３１よりも大径の大径部３２と、を有する。大径部３２は小径部３１の先端に設けられている。例えば、平面視において、大径部３２の中心と小径部３１の中心とが一致している。
【００１８】
図２（ａ）〜（ｄ）に示すように、光源取付装置２００は、例えば、ベース部２１０と、ベース部２１０に固定された連結部材２３０と、連結部材２３０を介してベース部２１０に連結された固定部材２２０と、を備えている。ベース部２１０、連結部材２３０および固定部材２２０の平面形状は任意である。本実施形態では、例えば、ベース部２１０、連結部材２３０および固定部材２２０の平面形状がそれぞれ矩形状であるものとする。
【００１９】
ベース部２１０は、例えば板状に形成されている。ベース部２１０の一方の面は、面光源１００側を向く第１面２１０ａであり、ベース部２１０の他方の面である第２面２１０ｂは、天井、壁或いは床などの設置対象面に固定される面である。
【００２０】
連結部材２３０は、例えば、筒状（例えば断面矩形状の筒状）に形成されており、その一方の端部が、ベース部２１０の一方の面である第１面２１０ａに固定されている。
【００２１】
固定部材２２０は、例えば、その平面形状が連結部材２３０の平面形状と相似形の箱形に形成されている。固定部材２２０は、例えば、板状の天面部２２２と、側壁部２２３と、を有している。天面部２２２と側壁部２２３とにより囲まれた領域は中空となっており、固定部材２２０におけるベース部２１０側の端部は開口部となっている。
【００２２】
固定部材２２０の平面寸法は、連結部材２３０の平面寸法よりも小さく、固定部材２２０は、その下端側の部分が連結部材２３０内に挿入されて、連結部材２３０と連結されている。固定部材２２０は、連結部材２３０に対して相対的に、上下方向に移動可能となっている。すなわち、固定部材２２０は、第１位置（例えば図３（ｆ）に示される位置）と、第１位置よりもベース部２１０から遠い第２位置（例えば図３（ｂ）、（ｄ）に示される位置）との間で、ベース部２１０に対して相対的に、直線的に移動可能となっている。なお、固定部材２２０の移動に伴い、連結部材２３０に対する固定部材２２０の挿入量が変化する。ベース部２１０に対する固定部材２２０の移動方向は、例えば、ベース部２１０に対して直交する方向である。
【００２３】
ここで、第２位置は、第１位置よりも発光パネル１０１の厚み分以上ベース部２１０から遠いことが好ましい。つまり、ベース部２１０の面直方向において、第１位置と第２位置との間には、発光パネル１０１の厚み以上の差が存在することが好ましい。
【００２４】
光源取付装置２００は、固定部材２２０が連結部材２３０から上方に抜けてしまうことを防止するための、図示しない抜け止め構造を有していることが好ましい。
【００２５】
固定部材２２０の天面部２２２には、第２係合部５０が形成されている。すなわち、第２係合部５０は、固定部材２２０におけるベース部２１０側とは反対面側の部分に形成されている。第２係合部５０は、例えば、突起部３０が固定される固定穴６０を含んで構成されている。第２係合部５０は、例えば、２つの固定穴６０を含み、各固定穴６０は、突起部３０の各々と１対１で対応している。
【００２６】
固定穴６０は、突起部３０が差し込まれる差込穴６１と、差込穴６１と連続的に形成されたスライド穴６２と、を含んで構成されている。差込穴６１は、突起部３０の大径部３２が通過可能な寸法に設定されている。差込穴６１は、例えば円形などの適宜の形状に形成されている。スライド穴６２の幅は、差込穴６１の径よりも細くなっている。スライド穴６２は、突起部３０の小径部３１が該スライド穴６２に沿って移動可能であるとともに、突起部３０の大径部３２が通過不能な寸法に設定されている。
【００２７】
固定部材２２０が第２位置にあるときに、第１係合部２０を第２係合部５０に対して係合させた状態で面光源１００をその面方向において固定部材２２０に対して相対的に移動させることによって、面光源１００はその面方向が固定部材２２０の移動方向に対して交差する状態で固定部材２２０に対して着脱可能に固定される。
すなわち、２つの突起部３０をそれぞれ対応する固定穴６０の差込穴６１に差し込んで、各突起部３０の大径部３２を箱形の固定部材２２０の内部空間内に配置した状態で、各突起部３０の小径部３１が差込穴６１内からスライド穴６２側へ移動するように面光源１００を固定部材２２０に対して相対的に移動させることにより、各突起部３０が各固定穴６０に固定される。すなわち、各突起部３０の大径部３２が天面部２２２におけるスライド穴６２の周囲縁部に対して係合することにより、各突起部３０が固定穴６０から発光パネル１０１側へ抜けてしまうことが規制された固定状態となる。
【００２８】
また、各突起部３０の小径部３１がスライド穴６２側から差込穴６１側へ移動するように面光源１００を固定部材２２０に対して相対的に移動させることにより、各突起部３０は固定穴６０から引き抜き可能な状態となる。
【００２９】
このように、第１係合部２０と第２係合部５０とのうちの一方は突起部３０を含み、他方は突起部３０が固定される固定穴６０を含み、突起部３０が固定穴６０に差し込まれた係合状態で面光源１００がその面方向において固定部材２２０に対して相対移動することによって、突起部３０が固定穴６０に対して着脱可能に固定される。
【００３０】
本実施形態の場合、第１係合部２０と第２係合部５０とを係合させた状態で面光源１００をその面方向において固定部材２２０に対して相対的に回転させることによって、面光源１００が固定部材２２０に対して着脱可能に固定される。すなわち、２つの突起部３０をそれぞれ対応する固定穴６０に差し込んで、面光源１００をその面方向の面内において固定部材２２０に対して相対的に回転させることにより、各突起部３０が固定穴６０に対して着脱可能に係合固定されることによって、面光源１００が固定部材２２０に対して着脱可能に固定される。
【００３１】
このような回転動作により面光源１００を固定部材２２０に固定できるように、２つの固定穴６０は、平面視において互いに回転対称形に形成されている。２つのスライド穴６２は、共通の中心を持ち、且つ、互いに半径が等しい弧状の形状に形成されている。
【００３２】
次に、図３（ａ）〜（ｆ）を参照して、面光源１００を光源取付装置２００に取り付ける動作を説明する。
【００３３】
予め、図３（ｂ）に示すように、固定部材２２０を連結部材２３０から引き出して、固定部材２２０を第２位置に配置しておく。その状態で、発光パネル１０１とベース部２１０とを対向させるとともに、各突起部３０を各固定穴６０の差込穴６１に対して位置合わせする。そして、各突起部３０を各差込穴６１に差し込むことにより、各突起部３０を各固定穴６０に対して係合させる。このとき、面光源１００の面方向は、ベース部２１０に対する固定部材２２０の移動方向に対して交差した（具体的には、例えば直交した）状態となる（図３（ａ）、（ｂ））。また、面光源１００は、例えば、ベース部２１０に対して平行に対向した状態となる。
【００３４】
次に、面光源１００をその面方向において固定部材２２０に対して相対的に回転させる。例えば、図３（ａ）から図３（ｃ）に示す動作のように、面光源１００を固定部材２２０に対して相対的に反時計回りに回転させる。これにより、面光源１００は、固定部材２２０に対して着脱可能に固定される。すなわち、図３（ｃ）に示すように、各突起部３０の小径部３１が差込穴６１からスライド穴６２内に移動する。この状態では、例えば、各突起部３０の大径部３２が、固定部材２２０の天面部２２２におけるスライド穴６２の周囲縁部に対して係合した状態となる。このときも、面光源１００の面方向は、ベース部２１０に対する固定部材２２０の移動方向に対して交差した（具体的には、例えば直交した）状態である（図３（ｃ）、（ｄ））。ここでも、面光源１００は、例えば、ベース部２１０に対して平行に対向した状態である。
【００３５】
なお、この状態で、発光パネル１０１の第２面１０１ｂと天面部２２２の上面とは、互いに離間しても良いが、互いに接する方が、発光装置の厚みを抑制する観点から好ましい。
【００３６】
次に、面光源１００をベース部２１０側へ押し込むとともに、固定部材２２０を第２位置から第１位置へと移動させる。これにより、面光源１００が光源取付装置２００に取り付けられた設置状態となる（図３（ｅ）、（ｆ））。このときも、面光源１００の面方向は、ベース部２１０に対する固定部材２２０の移動方向に対して交差した（具体的には、例えば直交した）状態である。ここでも、面光源１００は、例えば、ベース部２１０に対して平行に対向した状態である。
【００３７】
なお、図３（ｅ）および（ｃ）に示すように面光源１００が固定部材２２０に固定された状態で、面光源１００の面直方向に発光装置を見たときに、面光源１００の外形線、すなわち発光パネル１０１の外形線から、光源取付装置２００がはみ出さないように、光源取付装置２００の寸法が設定されていることが好ましい。
【００３８】
なお、本実施形態の場合、例えば、図３（ｅ）および（ｃ）に示すように、面光源１００が固定部材２２０に固定された状態で、面光源１００の面直方向に発光装置を見たときに、面光源１００の外形線（発光パネル１０１の外形線）と、ベース部２１０の外形線とが一致するようになっている。また、固定部材２２０および連結部材２３０は、ベース部２１０の外形線の内側に位置している。
【００３９】
面光源１００を光源取付装置２００から取り外す場合には、発光パネル１０１をベース部２１０から離間する方向へ引っ張ることにより、固定部材２２０を第１位置から第２位置へ移動させる。このとき、例えば、図４（ａ）に示すように、発光パネル１０１の第１面１０１ａを吸盤７０によって吸着保持し、吸盤７０をベース部２１０から遠ざかる方向へ引っ張ることにより、発光パネル１０１をベース部２１０から離間する方向へ引っ張る（図４（ｂ））。
【００４０】
その後は、図３（ａ）から図３（ｃ）に示す動作とは逆の動作により、固定部材２２０に対する面光源１００の固定状態を解除することができる。すなわち、面光源１００をその面方向において固定部材２２０に対して相対的に回転（図３（ａ）から図３（ｃ）に示す動作とは逆方向に回転）させることによって、突起部３０と固定穴６０との係合固定状態を解除することができる。そして、その状態で面光源１００を固定部材２２０から離間する方向へ引っ張ることにより、各突起部３０を各第２係合部５０から引き抜いて、面光源１００を固定部材２２０から外すことができる。
【００４１】
ここで、固定部材２２０を第１位置から第２位置へ、また、第２位置から第１位置へと移動させるには、ある程度以上の力が必要となっている。例えば、図３（ｂ）に示す状態や、図３（ｄ）に示す状態では、面光源１００をある程度以上の力でベース部２１０側へ押し込まなければ、固定部材２２０は第２位置に保持されるようになっている。また、図３（ｆ）に示す状態では、仮に、図３（ｆ）とは上下が反転していても、面光源１００をある程度以上の力でベース部２１０側から引っ張らなければ、固定部材２２０は第１位置に保持されるようになっている。このように固定部材２２０を第１位置や第２位置に保持できるように、例えば、固定部材２２０と連結部材２３０とは、ある程度の摩擦力で接していても良いし、固定部材２２０が第１位置や第２位置にあるときに、固定部材２２０と連結部材２３０とが係合機構（図示略）によって係合するようになっていても良い。
【００４２】
また、光源取付装置２００は、面光源１００に電力を供給するための給電端子を備えていることが好ましい。そして、面光源１００が固定部材２２０に固定され、且つ、固定部材２２０が第２位置から第１位置へ移動することによって、給電端子から面光源１００へ電力が供給される状態となることが好ましい。この場合、面光源１００は、給電端子から供給される電力によって発光する。
【００４３】
ここで、複数の発光装置の面光源１００が互いにほぼ隙間無くタイリングされている場合を考える。この場合に、ある面光源１００が劣化した場合等に、当該面光源１００を交換するには、以下に説明するようなオペレーションを行う。なお、交換対象となる面光源１００は、隣接する４つの面光源１００により囲まれており、当該交換対象となる面光源１００の面方向には殆ど移動できない状態であるものとする。
【００４４】
先ず、図４（ａ）および（ｂ）に示すように、面光源１００をベース部２１０から遠ざかる方向へ引っ張ることにより、固定部材２２０を第２位置へ移動させる。このとき、面光源１００は、その面方向に対して交差する方向へと移動するため、交換対象となる面光源１００と、それに隣接する面光源１００とのクリアランスが極めて小さい場合にも、交換対象となる面光源１００とそれに隣接する面光源１００とが干渉することなく、交換対象となる面光源１００をベース部２１０から遠ざけることができる。特に、面光源１００が、その面方向に対して直交する方向へと移動する場合、交換対象となる面光源１００と、それに隣接する面光源１００とのクリアランスが実質的に存在しない場合であっても、交換対象となる面光源１００とそれに隣接する面光源１００とが干渉することなく、交換対象となる面光源１００をベース部２１０から遠ざけることができる。
【００４５】
この状態（図４（ｂ）の状態）で、面光源１００をその面方向において固定部材２２０に対して相対的に回転させることによって、突起部３０と固定穴６０との係合固定状態（つまり面光源１００と固定部材２２０との係合固定状態）を解除することができる。ここで、本実施形態の場合、例えば、第２位置は、第１位置よりも発光パネル１０１の厚み分以上ベース部２１０から遠い位置となるように、ベース部２１０に対する固定部材２２０の移動量が設定されている。これにより、固定部材２２０を第２位置としたとき、交換対象の面光源１００の面方向における周囲には、他の面光源１００が存在しないようにすることができる。よって、交換対象の面光源１００を固定部材２２０に対してその面方向に相対的に回転させて面光源１００と固定部材２２０との係合固定状態を解除する際に、交換対象の面光源１００が他の面光源１００に対して干渉しないようにすることができる。その後は、面光源１００を固定部材２２０から離間する方向（例えば面光源１００の面直方向）へ引っ張ることにより、各突起部３０を各第２係合部５０から引き抜いて、面光源１００を固定部材２２０から外すことができる。
【００４６】
また、固定部材２２０を第２位置とした状態で、面光源１００を固定部材２２０に固定する際も、同様に、面光源１００を他の面光源１００と干渉させずに、面光源１００を固定部材２２０に固定することができる。その後、面光源１００をベース部２１０側に押し込んで設置状態とする際にも、面光源１００が他の面光源１００と干渉しないようにできる。
【００４７】
なお、図４（ｂ）に示すように、面光源１００が固定された固定部材２２０が第２位置となった状態でも、面光源１００は未だ固定部材２２０に対して係合固定されている。このため、設置状態の面光源１００に対して何らかの外力が作用することなどにより、固定部材２２０が第２位置となるまで面光源１００がベース部２１０から離間してしまった場合でも、面光源１００が固定部材２２０から分離し脱落してしまう可能性は低い。
【００４８】
次に、ベース部２１０の面直方向において、第１位置と第２位置との間には、発光パネル１０１の厚み未満の差しか存在しない場合について考える。この場合に、面光源１００がタイリングされずに単体で設置され、面光源１００の周囲には、面光源１００の厚みよりも厚さが薄く、且つ、第１位置から第２位置までの距離よりも厚さが薄い障害物が近接して配置されているとする。この場合も、同様に、面光源１００を、この障害物と干渉することなく、ベース部２１０から離間させること、固定部材２２０から取り外すこと、固定部材２２０に固定すること、及び、ベース部２１０側に押し込んで設置状態とすること、が可能である。
【００４９】
以上、本実施形態によれば、発光装置は、面光源１００と、面光源１００が取り付けられる光源取付装置２００と、を備える。光源取付装置２００は、ベース部２１０と、ベース部２１０に連結され、且つ、面光源１００が固定される固定部材２２０と、を備える。固定部材２２０は、第１位置と、第１位置よりもベース部２１０から遠い第２位置と、の間で直線的にベース部２１０に対して移動可能である。面光源１００は第１係合部２０を有し、固定部材２２０は第１係合部２０と係合する第２係合部５０を有する。固定部材２２０が第２位置にあるときに、第１係合部２０と第２係合部５０とを係合させた状態で面光源１００をその面方向へと固定部材２２０に対して相対移動させることによって、面光源１００は、その面方向が固定部材２２０の移動方向に対して交差する状態で固定部材２２０に対して着脱可能に固定される。そして、面光源１００を固定部材２２０に固定した状態で、固定部材２２０を第２位置から第１位置へ移動させることにより、面光源１００が光源取付装置２００に取り付けられた設置状態となる。このため、面光源１００の面方向における発光装置の寸法が抑制された構造を容易に実現することができる。よって、複数の面光源１００をなるべく隙間無く並べて配置することが可能である。
また、面光源１００の周囲には、第１位置から第２位置までの距離よりも薄い障害物が近接して配置されている場合にも、面光源１００を、この障害物と干渉することなく、ベース部２１０から離間させること、固定部材２２０から取り外すこと、固定部材２２０に固定すること、及び、ベース部２１０側に押し込んで設置状態とすること、が可能である。
また、固定部材２２０が第２位置にあるときに、第１係合部２０と第２係合部５０とを係合させた状態で面光源１００をその面方向において固定部材２２０に対して相対移動させることによって、面光源１００が固定部材２２０に対して着脱可能に固定されるので、固定部材２２０が第２位置となるまで面光源１００がベース部２１０側から引き出された状態でも、面光源１００は固定部材２２０から直ちに分離する訳ではない。よって、面光源１００が意図せず脱落してしまう可能性を低減することができる。
【００５０】
また、面光源１００は、発光パネル１０１と、発光パネル１０１に設けられた第１係合部２０と、を有し、第２位置は、第１位置よりも発光パネル１０１の厚み分以上ベース部２１０から遠い。よって、複数の面光源１００が互いにほぼ隙間無くタイリングされている場合でも、面光源１００を、周囲の面光源１００と干渉することなく、ベース部２１０から離間させること、固定部材２２０から取り外すこと、固定部材２２０に固定すること、及び、ベース部２１０側に押し込んで設置状態とすること、が可能である。
【００５１】
また、第１係合部２０は、発光パネル１０１の発光面（第１面１０１ａ）に対する裏面（第２面１０１ｂ）側の部分に形成され、第２係合部５０は、固定部材２２０におけるベース部２１０側とは反対面側の部分に形成されている。よって、面光源１００の面方向における発光装置の寸法を抑制することができるので、複数の面光源１００をなるべく隙間無く並べて配置することが可能である。本実施形態の場合、面光源１００の面直方向に発光装置を見たときに、面光源１００の外側には発光装置の構成要素が何も存在しない構造を容易に実現できるため、隣接する面光源１００とのクリアランスを極めて小さくすることができる。面光源１００をタイリングした場合に、隣り合う面光源１００どうしの隙間が広い、すなわち額縁幅が広くなると、格子状の非発光部分が目立つことになり、美観を損ねてしまう。これに対し、本実施形態では、複数の面光源１００をなるべく隙間無く並べて配置することが可能であるため、複数の面光源１００をタイリングしたときの美観を優れたものとすることができる。
そして、第１係合部２０と第２係合部５０とのうちの一方は突起部３０を含み、他方は突起部３０が固定される固定穴６０を含み、突起部３０が固定穴６０に差し込まれた係合状態で面光源１００がその面方向において固定部材２２０に対して相対移動することによって、突起部３０が固定穴６０に対して着脱可能に固定される。よって、第１係合部２０と第２係合部５０とを係合させた状態で面光源１００をその面方向において固定部材２２０に対して相対移動させることにより、面光源１００を固定部材に対して着脱可能に固定することが可能な構造を、好適に実現することができる。
【００５２】
また、突起部３０は、小径部３１と、小径部３１の先端部に設けられ小径部３１よりも大径の大径部３２と、を有し、固定穴６０は、突起部３０が差し込まれる差込穴６１と、差込穴６１と連続的に形成され、小径部３１よりも幅広且つ大径部３２よりも幅狭のスライド穴６２と、を有し、突起部３０が差込穴６１に差し込まれた後、小径部３１がスライド穴６２へ移動することにより、大径部３２が固定穴６０から抜ける方向へ移動してしまうことが、固定部材２２０と面光源１００とのうち固定穴６０を有する方（例えば固定部材２２０）におけるスライド穴６２の周囲縁部によって規制される。これにより、突起部３０が固定穴６０に差し込まれた係合状態で面光源１００がその面方向において固定部材２２０に対して相対移動することによって、突起部３０が固定穴６０に対して着脱可能に固定される構造を、好適に実現することができる。
【００５３】
また、第１係合部２０と第２係合部５０とを係合させた状態で面光源１００をその面方向において固定部材２２０に対して相対的に回転させることによって、面光源１００が固定部材２２０に対して着脱可能に固定される。これにより、直線的な相対移動によって面光源１００が固定部材２２０に対して着脱される構造と比べて、面光源１００が意図せず固定部材２２０から脱落してしまう可能性を低減することができる。
【実施例】
【００５４】
（実施例１）
図５（ａ）〜（ｃ）は実施例１に係る発光装置の光源取付装置２００を示す模式図である。図６（ａ）〜（ｃ）は実施例１に係る発光装置における面光源１００の取付動作を示す模式図である。図７（ａ）〜（ｃ）は実施例１に係る発光装置における面光源１００の取付動作を示す模式図である。これらの図においては、ベース部２１０の図示を省略している。また、面光源１００の２つの突起部３０のうち、一方の突起部３０のみを図示し、他方の突起部３０は図示していない。また、面光源１００の発光パネル１０１については、これらの何れの図にも図示していない。なお、本実施例の場合、面光源１００の構造は、上記の実施形態（図１（ａ）〜（ｄ））と同様である。本実施例に係る発光装置は、以下に説明する点で上記の実施形態に係る発光装置と相違し、その他の点では実施形態に係る発光装置と同様に構成されている。
【００５５】
本実施例の場合、突起部３０は、面光源１００の発光用の電力を受電するための電極端子（受電端子）である。例えば、２つの突起部３０の各々が電極端子（受電端子）である。
【００５６】
更に、本実施例の場合、光源取付装置２００は面光源１００に電力を供給するための給電端子２４０を備えている。例えば、光源取付装置２００は２つの給電端子２４０を備えており、各給電端子２４０は各突起部３０と１対１で対応している。面光源１００が固定部材２２０に固定された状態で、固定部材２２０が第１位置へ移動することにより、各突起部３０がそれぞれ対応する給電端子２４０に接触するようになっている（図７（ｂ）、（ｃ）参照）。給電端子２４０には、図示しない外部電源から電力が供給されるようになっている。このため、給電端子２４０に突起部３０が接触することにより、面光源１００に電力が供給される状態となる。なお、面光源１００が固定部材２２０に固定された状態で、固定部材２２０が第２位置へ移動することにより、各給電端子２４０から各突起部３０が離間するようになっている（図６（ｂ）、（ｃ）、図５（ｂ）、（ｃ）参照）。
【００５７】
給電端子２４０は、例えば板バネ状に形成され、受電端子としての突起部３０が圧接されることによりベース部２１０側へ弾性変形するようになっている。
【００５８】
連結部材２３０は、例えば、筒状の側壁部２３３と、側壁部２３３の上端部より内向きに突出した状態に形成された額縁状のストッパー部２３４と、を有する。連結部材２３０は、ベース部２１０の第１面２１０ａ上に設置される底板部（図示略）を有していても良いし、側壁部２３３の下端部は開口部となっていても良い。給電端子２４０は、例えば、ベース部２１０の第１面２１０ａ上、又は、連結部材２３０の底板部上に設けられている。
【００５９】
光源取付装置２００は、固定部材２２０をベース部２１０から離間する方向へ付勢する付勢バネ２５０を有している。付勢バネ２５０は、例えば圧縮型のコイルスプリングであり、ベース部２１０の第１面２１０ａと天面部２２２との間、又は、連結部材２３０の底板部と天面部２２２との間に圧縮状態で介装されている。
【００６０】
固定部材２２０の側壁部２２３の下端部の外面には、第１係合突起２７１が形成されている。連結部材２３０の側壁部２３３の内面には、固定部材２２０が第１位置となった状態（図７（ｂ）、（ｃ））において第１係合突起２７１と係合する第２係合突起２７２が形成されている。第１係合突起２７１と第２係合突起２７２とが係合した状態では、付勢バネ２５０の付勢力および給電端子２４０の弾性復帰力に抗して、固定部材２２０が第１位置に維持されるようになっている。一方、第１係合突起２７１と第２係合突起２７２との係合が解除された状態では、固定部材２２０は付勢バネ２５０の付勢に従って、ベース部２１０から遠ざかる方向へと連結部材２３０に対して相対的に移動するが、この移動は、第１係合突起２７１がストッパー部２３４の下面に当接することにより規制される（図５（ｂ）、（ｃ）参照）。
【００６１】
固定部材２２０を第２位置から第１位置へ移動させる際には、先ず、固定部材２２０を付勢バネ２５０の付勢に抗してベース部２１０側へ押し込み、突起部３０が給電端子２４０に接触して以降は、固定部材２２０を付勢バネ２５０の付勢力および給電端子２４０の弾性復帰力に抗してベース部２１０側へ押し込んで、第１係合突起２７１と第２係合突起２７２とを相互に係合させる。
【００６２】
なお、上記の実施形態では、固定部材２２０を第１位置や第２位置に保持できるように固定部材２２０と連結部材２３０とがある程度の摩擦力で接することを例示したが、本実施例では、連結部材２３０と固定部材２２０との摩擦力により固定部材２２０を第１位置や第２位置に保持する必要は無い。
【００６３】
更に、本実施例の場合、固定部材２２０の天面部２２２の内面（下面）には、突起部３０が固定穴６０に対して係合固定された状態（図６（ａ）〜（ｃ））において、大径部３２の移動を規制する固定用突起部２６０が形成されている。面光源１００をその面方向において固定部材２２０に対して回転させて、面光源１００を固定部材２２０に対して係合固定する際には、大径部３２は、固定用突起部２６０を乗り越えて、該固定用突起部２６０に対して係合する。これにより、面光源１００が固定部材２２０から意図せず脱落してしまう可能性を更に低減することができるようになっている。固定部材２２０に対する面光源１００の係合固定状態を解除する際には、大径部３２は、再び固定用突起部２６０を乗り越えて、該固定用突起部２６０に対する係合状態から解放される。
【００６４】
なお、面光源１００を固定部材２２０に固定した状態において、発光パネル１０１の第２面１０１ｂと固定部材２２０の天面部２２２とのクリアランスが、固定用突起部２６０の高さ未満となるように、小径部３１の長さが設定されている。面光源１００を固定部材２２０に固定した状態において、第２面１０１ｂと天面部２２２とが接することが好ましい一例である。
【００６５】
次に、発光パネル１０１の構成の例を説明する。図８は実施例１に係る発光装置の発光パネル１０１の構造の一例を示す断面図である。
【００６６】
発光パネル１０１は、例えば、発光素子１０２と、この発光素子１０２が一方の面に設けられた固定板１６０と、を備えている。
【００６７】
発光素子１０２は、例えば、有機ＥＬ（Ｅｌｅｃｔｒｏ  Ｌｕｍｉｎｅｓｃｅｎｃｅ）素子である。ただし、発光素子１０２は、有機ＥＬ素子に限らない。発光素子１０２は、例えば、ＬＥＤ（Ｌｉｇｈｔ  Ｅｍｉｔｔｉｎｇ  Ｄｉｏｄｅ）と導光板とを組み合わせて構成されていても良いし、複数のＬＥＤをアレイ状に配列することにより構成されていても良い。また、発光素子１０２は、無機ＥＬ素子であっても良い。発光素子１０２の一方の面（図８の上面）は、発光パネル１０１の第１面１０１ａを構成している。第１面１０１ａは、光を放射する発光面となっている。
【００６８】
発光パネル１０１は、発光素子１０２を発光させる制御を行う電子回路を含んで構成されていても良いし、電子回路は、発光パネル１０１とは別体となっていても良い。
【００６９】
図８には、発光素子１０２が有機ＥＬ素子である場合の構成例を示している。この場合、発光素子１０２は、例えば、透光性基板１１０と、透光性の第１電極１３０と、有機機能層１４０と、第２電極１５０と、を有する。第１電極１３０は、透光性基板１１０の一方の面側（図８において下側）に配置されている。有機機能層１４０は、第１電極１３０を基準として透光性基板１１０とは反対側（図８において下側）に配置されている。第２電極１５０は、有機機能層１４０を基準として第１電極１３０とは反対側（図８において下側）に配置されている。なお、透光性基板１１０と第１電極１３０とは相互に接していても良いし、それらの間に他の層が存在していても良い。また、第２電極１５０の下面には必要に応じて封止層を形成しても良い。
【００７０】
透光性基板１１０は、ガラスや樹脂などの透光性を有する材料からなる板状部材である。例えば、透光性基板１１０の上面、すなわち透光性基板１１０における有機機能層１４０とは反対側の面は、平坦な光取り出し面（上記の第１面１０１ａ）となっている。この光取り出し面は、光放出空間を充たす空気（屈折率１）と接している。なお、透光性基板１１０の上面には、光取り出しフィルムが貼り付けられており、この光取り出しフィルムの上面が光取り出し面（上記の第１面１０１ａ）を構成していても良い。
【００７１】
第１電極１３０は、例えばＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの金属酸化物導電体からなる透明電極とすることができる。ただし、第１電極１３０は、光が透過する程度に薄い金属薄膜であっても良い。有機機能層１４０は、少なくとも発光層を含んで構成されており、単層構造でも積層構造でも良い。第２電極１５０は、例えば、ＡｌやＡｇなどの金属膜からなる反射電極である。第２電極１５０は、有機機能層１４０から第２電極１５０側に向かう光を、透光性基板１１０側に向けて反射する。
【００７２】
第１電極１３０と第２電極１５０との間に電圧が印加されることにより、有機機能層１４０の発光層が発光する。透光性基板１１０、第１電極１３０及び有機機能層１４０は、いずれも、有機機能層１４０の発光層が発光した光の少なくとも一部を透過する。発光層が発光した光の一部は、透光性基板１１０の光取り出し面から、発光パネル１０１の外部（つまり上記光放出空間）に放射される（取り出される）。
【００７３】
図示しない接続導体を介して、第１電極１３０には一方の突起部３０が電気的に接続されている。同様に、図示しない接続導体を介して、第２電極１５０には他方の突起部３０が電気的に接続されている。このため、面光源１００を光源取付装置２００に取り付けた設置状態（図７（ａ）〜（ｃ）の状態）とすることによって、外部電源から発光素子１０２に電力を供給し、発光素子１０２を発光させることができる。
【００７４】
以下、有機機能層１４０の層構造の例を説明する。
【００７５】
図９は有機機能層１４０の層構造の第１例を示す断面図である。この有機機能層１４０は、正孔注入層１４１、正孔輸送層１４２、発光層１４３、電子輸送層１４４、及び電子注入層１４５をこの順に積層した構造を有している。すなわち有機機能層１４０は、有機エレクトロルミネッセンス発光層である。なお、正孔注入層１４１及び正孔輸送層１４２の代わりに、これら２つの層の機能を有する一つの層を設けてもよい。同様に、電子輸送層１４４及び電子注入層１４５の代わりに、これら２つの層の機能を有する一つの層を設けてもよい。
【００７６】
発光層１４３は、例えば赤色の光を発光する層、青色の光を発光する層、又は緑色の光を発光する層である。この場合、平面視において、赤色の光を発光する発光層１４３を有する領域、緑色の光を発光する発光層１４３を有する領域、及び青色の光を発光する発光層１４３を有する領域が繰り返し設けられていても良い。この場合、各領域を同時に発光させると、発光装置は白色等の単一の発光色で発光する。
【００７７】
なお、発光層１４３は、複数の色を発光するための材料を混ぜることにより、白色等の単一の発光色で発光するように構成されていても良い。
【００７８】
図１０は有機機能層１４０の層構造の第２例を示す断面図である。この有機機能層１４０の発光層１４３は、発光層１４３ａ、１４３ｂ、１４３ｃをこの順に積層した構成を有している。発光層１４３ａ、１４３ｂ、１４３ｃは、互いに異なる色の光（例えば赤、緑、及び青）を発光する。そして発光層１４３ａ、１４３ｂ、１４３ｃが同時に発光することにより、発光装置は白色等の単一の発光色で発光する。
【００７９】
本実施例によれば、上記の実施形態と同様の効果が得られる他、以下の効果が得られる。
【００８０】
突起部３０は、面光源１００の発光用の電力を受電するための電極端子（受電端子）であるので、面光源１００を固定部材２２０に対して固定するための突起部３０を、面光源１００が発光用の電力を受電するための電極端子としての機能を兼ねるようにすることができる。
【００８１】
また、第１係合部２０は突起部３０を含み、第２係合部５０は固定穴６０を含み、光源取付装置２００は面光源１００に電力を供給するための給電端子２４０を備え、面光源１００が固定部材２２０に固定された状態で、固定部材２２０が第１位置へ移動することにより、突起部３０が給電端子２４０に接触する。よって、面光源１００を設置状態とするために固定部材２２０をベース部２１０側に押し込むだけで、給電端子２４０から突起部３０へと給電される状態にすることができる。このため、面光源１００の背面側（ベース部２１０側）とベース部２１０との接続に配慮する必要が無い。
【００８２】
（実施例２）
図１１（ａ）は実施例２に係る発光装置の面光源１００を示す模式的な平面図、図１１（ｂ）は実施例２に係る発光装置の光源取付装置２００を示す模式的な平面図である。図１２（ａ）〜（ｆ）は実施例２に係る発光装置における面光源１００の取付動作を示す模式図であり、このうち（ａ）、（ｃ）及び（ｅ）は平面図、（ｂ）、（ｄ）及び（ｆ）は正面図である。本実施例に係る発光装置は、以下に説明する点で上記の実施形態又は実施例１に係る発光装置と相違し、その他の点では実施形態又は実施例１に係る発光装置と同様に構成されている。
【００８３】
上記の実施形態及び実施例１では、第１係合部２０と第２係合部５０とを係合させた状態で面光源１００をその面方向において固定部材２２０に対して相対的に回転させることによって、面光源１００が固定部材２２０に対して着脱可能に固定される例を説明した。
【００８４】
これに対し、本実施例では、第１係合部２０と第２係合部５０とを係合させた状態で面光源１００をその面方向において固定部材２２０に対して直線的に移動させることによって、面光源１００が固定部材２２０に対して着脱可能に固定される。
【００８５】
このため、本実施例の場合、図１１（ｂ）に示すように、スライド穴６２は、直線的に形成されている。且つ、２つの固定穴６０は、互いに同じ向きで並んで配置されている。
【００８６】
以下、図１２（ａ）〜（ｆ）を参照して、面光源１００を光源取付装置２００に取り付ける動作を説明する。
【００８７】
予め、図１２（ｂ）に示すように、固定部材２２０を連結部材２３０から引き出して、固定部材２２０を第２位置に配置しておく。その状態で、発光パネル１０１とベース部２１０とを対向させるとともに、各突起部３０を各固定穴６０の差込穴６１に対して位置合わせする。そして、各突起部３０を各差込穴６１に差し込むことにより、各突起部３０を各固定穴６０に対して係合させる（図１２（ａ）、（ｂ））。
【００８８】
次に、面光源１００をその面方向において固定部材２２０に対して相対的に直線的に移動させる。すなわち、スライド穴６２の長手方向に沿って面光源１００を移動させる。これにより、面光源１００は、固定部材２２０に対して着脱可能に固定される（図１２（ｃ）、（ｄ））。
【００８９】
次に、面光源１００をベース部２１０側へ押し込むとともに、固定部材２２０を第２位置から第１位置へと移動させる。これにより、面光源１００が光源取付装置２００に取り付けられた設置状態となる（図１２（ｅ）、（ｆ））。
【００９０】
面光源１００を光源取付装置２００から取り外す場合には、発光パネル１０１をベース部２１０から離間する方向へ引っ張ることにより、固定部材２２０を第１位置から第２位置へ移動させる。その後は、図１２（ａ）から図１２（ｃ）に示す動作とは逆の動作により、固定部材２２０に対する面光源１００の固定状態を解除する。そして、面光源１００を固定部材２２０から離間する方向へ引っ張ることにより、各突起部３０を各第２係合部５０から引き抜いて、面光源１００を固定部材２２０から外すことができる。
【００９１】
本実施例によっても、上記の実施形態又は実施例１と同様の効果が得られる（ただし、面光源１００が回転動作により固定部材２２０に対して着脱可能に固定されることにより得られる効果を除く）。
【００９２】
（実施例３）
図１３（ａ）及び（ｂ）は実施例３に係る発光装置における光源取付装置２００を示す模式的な平面図、図１３（ｃ）及び（ｄ）は実施例３に係る発光装置における面光源１００の取付動作を示す模式図である。これらのうち、図１３（ａ）及び（ｃ）は第１例を示し、図１３（ｂ）及び（ｄ）は第２例を示す。第１例に係る発光装置は、以下に説明する点で上記の実施形態又は実施例１に係る発光装置と相違し、その他の点では実施形態又は実施例１に係る発光装置と同様に構成されている。また、第２例に係る発光装置は、以下に説明する点で上記の実施例２に係る発光装置と相違し、その他の点では実施例２に係る発光装置と同様に構成されている。
【００９３】
通常、面光源１００は不透明である。このため、第１係合部２０と第２係合部５０とを視認しながら第１係合部２０と第２係合部５０とを係合させる作業を行うことは困難な場合がある。したがって、固定穴６０に突起部３０を位置合わせして挿入する作業が困難となる場合がある。
【００９４】
そこで、本実施例では、面光源１００と光源取付装置２００との位置合わせを容易に行うことができるように、図１３（ａ）および（ｂ）に示すように、光源取付装置２００のベース部２１０には、位置合わせ線２８０が付されている。図１３（ｃ）および（ｄ）に示すように、面光源１００の外形線が位置合わせ線２８０と一致するように面光源１００を光源取付装置２００に対して位置合わせすることにより、各突起部３０が各差込穴６１に対して位置合わせされるようになっている。
【００９５】
よって、第１係合部２０と第２係合部５０とを視認しながら第１係合部２０と第２係合部５０とを係合させる作業を行うことできない場合であっても、容易に、第１係合部２０と第２係合部５０とを係合させることができる。
【００９６】
（実施例４）
図１４（ａ）〜（ｄ）は実施例４に係る発光装置の面光源１００を示す模式図である。図１５は実施例４に係る発光装置の光源取付装置２００を示す模式的な平面図である。図１６（ａ）〜（ｆ）は実施例４に係る発光装置における面光源１００の取付動作を示す模式図であり、このうち（ａ）、（ｃ）及び（ｅ）は平面図、（ｂ）、（ｄ）及び（ｆ）は正面図である。本実施例に係る発光装置は、以下に説明する点で上記の実施形態、実施例１〜３の何れかに係る発光装置と相違し、その他の点では実施形態、実施例１〜３の何れかに係る発光装置と同様に構成されている。
【００９７】
本実施例に係る発光装置は、第１係合部２０と第２係合部５０とを係合させた後、面光源１００をその面方向において固定部材２２０に対して相対移動させることによって、面光源１００を固定部材２２０に固定した状態とならないと、面光源１００をベース部２１０側に押し込んで設置状態とすることができないように、押し込み規制機構を有している。
【００９８】
具体的には、例えば、図１４（ａ）〜（ｄ）に示すように、面光源１００は、発光パネル１０１の第２面１０１ｂより起立するボス１９０を有している。ボス１９０は１つでも良いが、図１４（ａ）〜（ｄ）には、複数のボス１９０が発光パネル１０１に形成されている例を図示している。
【００９９】
一方、図１５に示すように、ベース部２１０の第１面２１０ａには、ボス１９０が嵌入可能な凹部２９０が形成されている。凹部２９０は、面光源１００が固定部材２２０に固定された状態においてボス１９０と対向する位置に配置されている。凹部２９０は、ボス１９０と１対１で対応している。
【０１００】
ボス１９０及び凹部２９０により、押し込み規制機構が構成されている。
【０１０１】
なお、固定部材２２０および連結部材２３０の平面形状は、上記の実施形態、実施例１〜３と同様に矩形状でも良いが、図１５では、固定部材２２０および連結部材２３０の平面形状が円形の例を示している。
【０１０２】
以下、図１６（ａ）〜（ｆ）を参照して、面光源１００を光源取付装置２００に取り付ける動作を説明する。
【０１０３】
予め、図１６（ｂ）に示すように、固定部材２２０を連結部材２３０から引き出して、固定部材２２０を第２位置に配置しておく。その状態で、発光パネル１０１とベース部２１０とを対向させるとともに、各突起部３０を各固定穴６０の差込穴６１に対して位置合わせする。そして、各突起部３０を各差込穴６１に差し込むことにより、各突起部３０を各固定穴６０に対して係合させる（図１６（ａ）、（ｂ））。
【０１０４】
この段階では、図１６（ａ）に示すように、各ボス１９０と各凹部２９０とは、互いに対向していない。
【０１０５】
次に、面光源１００をその面方向において固定部材２２０に対して相対的に移動させる（例えば回転させる）ことにより、面光源１００は、固定部材２２０に対して着脱可能に固定される（図１６（ｃ）、（ｄ））。
【０１０６】
これにより、各ボス１９０が各凹部２９０と対向する状態となる。
【０１０７】
なお、面光源１００の回転に伴いボス１９０が旋回する際に、ボス１９０と光源取付装置２００とが干渉しないように、固定部材２２０、連結部材２３０およびベース部２１０等の形状が設定されている。
【０１０８】
次に、面光源１００をベース部２１０側へ押し込むとともに、固定部材２２０を第２位置から第１位置へと移動させる。これにより、面光源１００が光源取付装置２００に取り付けられた設置状態となる（図１６（ｅ）、（ｆ））。
【０１０９】
このとき、図１６（ｆ）に示すように、各ボス１９０がそれぞれ対応する凹部２９０内に嵌入する。
【０１１０】
ここで、各突起部３０を各固定穴６０に対して係合させても、各ボス１９０が各凹部２９０と対向する状態となっていなければ、面光源１００をベース部２１０側へ押し込んだ際に、ボス１９０がベース部２１０と干渉するため、固定部材２２０が第１位置まで移動することができないようになっている。つまり、図１６（ｃ）に示すようにボス１９０と凹部２９０とが位置合わせされたときにのみ、面光源１００をベース部２１０側へ押し込んで、固定部材２２０を第２位置から第１位置へと移動させることができるようになっている。
よって、面光源１００が固定部材２２０に固定されていないにもかかわらず、面光源１００および固定部材２２０がベース部２１０側に押し込まれてしまうことを抑制することができる。
【０１１１】
以上、図面を参照して実施形態及び実施例について述べたが、これらは本発明の例示であり、上記以外の様々な構成を採用することもできる。
【０１１２】
例えば、上記においては、第１係合部２０が突起部３０を含み、第２係合部５０が固定穴６０を含む例を説明したが、第１係合部２０が固定穴６０を含み、第１係合部２０が突起部３０を含んでいても良い。この場合、突起部３０は、面光源１００の発光用の電力を面光源１００に給電するための電極端子とすることができる。
【０１１３】
また、上記の実施例４では、ボス１９０が面光源１００に形成され、凹部２９０が光源取付装置２００に形成されている例を説明したが、ボス１９０が光源取付装置２００に形成され、凹部２９０が面光源１００に形成されていても良い。
【０１１４】
また、上記においては、ベース部２１０が平板状であり、連結部材２３０がベース部２１０の第１面２１０ａ上に配置されている例を説明したが、連結部材２３０はベース部２１０内に埋め込まれていても良い。このような構成とすることにより、発光装置の厚みを抑制することができる。
【０１１５】
また、上記においては、１つのベース部２１０に対して１つの面光源１００が取り付けられる例を説明したが、固定部材２２０と連結部材２３０とからなるユニットを、共通のベース部２１０に設けることによって、共通のベース部２１０に対して複数の面光源１００を取り付けることができるようにしても良い。
【０１１６】
また、固定部材２２０及び連結部材２３０は、プッシュロック・プッシュオープン式の動作機構を有していても良い。この場合、固定部材２２０が第２位置にあるときに、固定部材２２０を第１位置まで１回押し込むことによって、固定部材２２０が第１位置で連結部材２３０に対して固定される（ラッチ状態となる）。その後、再度、固定部材２２０をベース部２１０側へ押し込むことにより、連結部材２３０に対する固定部材２２０の固定が解除（ラッチ状態が解除）され、付勢バネ２５０の付勢により固定部材２２０が第２位置へ引き出される。このような動作機構は、一般的なノック式ボールペンなどと同様の機構により実現することができる。
【符号の説明】
【０１１７】
２０ 第１係合部
３０ 突起部
３１ 小径部
３２ 大径部
５０ 第２係合部
６０ 固定穴
６１ 差込穴
６２ スライド穴
１００ 面光源
１０１ 発光パネル
２００ 光源取付装置
２１０ ベース部
２２０ 固定部材
２４０ 給電端子
【図１】
2015018716.tif 000003
【図２】
2015018716.tif 000004
【図３】
2015018716.tif 000005
【図４】
2015018716.tif 000006
【図５】
2015018716.tif 000007
【図６】
2015018716.tif 000008
【図７】
2015018716.tif 000009
【図８】
2015018716.tif 000010
【図９】
2015018716.tif 000011
【図１０】
2015018716.tif 000012
【図１１】
2015018716.tif 000013
【図１２】
2015018716.tif 000014
【図１３】
2015018716.tif 000015
【図１４】
2015018716.tif 000016
【図１５】
2015018716.tif 000017
【図１６】
2015018716.tif 000018